(57)【要約】【課題】  連結部の折り曲げ動作および展開動作を円滑に行うことのできる携帯端末を提供する。【解決手段】  連結部４０における外側シート４２と内側シート４１との間に介装されている第１筐体２０と第２筐体３０とを電気的に接続している配線４３やアンテナ４４等が、第１筐体２０と第２筐体３０とを折り曲げたり展開したりする際に、外側シート４２および内側シート４１の少なくとも一方に設けられている凹凸部５０を介して外側シート４２あるいは内側シート４１に接触することになる。このため、シート状の配線４３やアンテナ４４が外側シート４２あるいは内側シート４１に貼り付くのを防止することができ、連結部４０は折り曲げ動作や展開動作をスムーズに行うことができる。【選択図】  図１
2006148331.tif 000002
【特許請求の範囲】
【請求項１】
表示部を有する第１筐体と、操作部、受信部、制御部を有する第２筐体と、前記第１筐体と前記第２筐体とを折り曲げ可能に連結する連結部とを有し、
前記連結部においては、柔軟な内側シートと外側シートを厚み方向に積層し、前記内側シートと前記外側シートとの間に、前記第１筐体と前記第２筐体とを電気的に接続する配線および／またはアンテナを備えた携帯端末であって、
前記内側シートにおける前記配線および前記アンテナに向かう面と、前記外側シートにおける前記配線および前記アンテナに向かう面との、少なくとも一方に前記配線および前記アンテナに接触する凹凸部が形成されていることを特徴とする携帯端末。
【請求項２】
前記凹凸部がリブであるとともに、前記リブが前記配線および前記アンテナの長手方向に対して交差する方向に連続するように設けられていることを特徴とする請求項１記載の携帯端末。
【請求項３】
前記リブを複数有し、前記各リブが前記配線および前記アンテナの長手方向に沿って所定間隔をおいて配置されていることを特徴とする請求項１または２記載の携帯端末。
【請求項４】
前記各リブの突出寸法が互いに異なることを特徴とする請求項１ないし請求項３のいずれかに記載の携帯端末。
【請求項５】
前記リブを３個以上有し、前記各リブのうち、中央リブが側方リブよりも突出していることを特徴とする請求項１ないし請求項４のいずれかに記載の携帯端末。
【請求項６】
前記凹凸部の頭部が山形状であることを特徴とする請求項１ないし請求項５のいずれかに記載の携帯端末。
【発明の詳細な説明】
【技術分野】
【０００１】
本発明は、連結部により、表示部を有する第１筐体と、操作部、受信部、制御部を有する第２筐体と、を折り曲げ可能に連結した折畳型の携帯端末に関するものである。
【背景技術】
【０００２】
従来より、表示部を有する第１筐体と、操作部、受信部、制御部を有する第２筐体とを、連結部により折り曲げ可能に連結した折畳型の携帯端末としては、図１３に示すようなものが開示されている（例えば特許文献１参照）。
【０００３】
図１３に示すように、従来の携帯端末１００は、軟質性樹脂１０１ａの連結部１０１を介して硬質性樹脂１０２ａの２つの開閉筐体１０２が１回の成形工程で一体的に成形され、固着されている。
フレキシブルプリント配線板等の配線材１０３は、連結部１０１の略中央部を通過して、その両端部１０４は各々開閉筐体１０２の内部１０２ｂに露出した状態で位置し、開閉筐体１０２の内部１０２ｂの電子部品１０５が実装されたプリント配線板１０６に接続されている。
【特許文献１】特開平５−２５９６５６号公報（図４）
【発明の開示】
【発明が解決しようとする課題】
【０００４】
ところで、図１４に示すように、連結部１０７において内外一対のシート部材１０８ａ、１０８ｂにより配線材やアンテナ１０９等を介装している携帯端末においては、連結部１０７を折り曲げたり展開したりする際に、外側シート１０８ｂと内側シート１０８ａの内輪差により外側シート１０８ｂが配線材やアンテナ１０９等に押し付けられて挟まれて擦れ、折り曲げ動作や展開動作がスムーズに行われないという問題があった。
【０００５】
本発明は、従来の問題を解決するためになされたもので、連結部の折り曲げ動作および展開動作を円滑に行うことのできる携帯端末を提供することを目的とする。
【課題を解決するための手段】
【０００６】
本発明の携帯端末は、表示部を有する第１筐体と、操作部、受信部、制御部を有する第２筐体と、前記第１筐体と前記第２筐体とを折り曲げ可能に連結する連結部とを有し、前記連結部においては、柔軟な内側シートと外側シートを厚み方向に積層し、前記内側シートと前記外側シートとの間に、前記第１筐体と前記第２筐体とを電気的に接続する配線および／またはアンテナを備えた携帯端末であって、前記内側シートにおける前記配線および前記アンテナに向かう面と、前記外側シートにおける前記配線および前記アンテナに向かう面との、少なくとも一方に前記配線および前記アンテナに接触する凹凸部が形成されている構成を有している。
【０００７】
この構成により、連結部における外側シートと内側シートとの間に介装されている第１筐体と第２筐体とを電気的に接続している配線やアンテナ等が、第１筐体と第２筐体とを折り曲げたり展開したりする際に、外側シートおよび内側シートの少なくとも一方に設けられている凹凸部を介して外側シートあるいは内側シートに接触することになる。
【０００８】
このため、シート状の配線やアンテナが外側シートあるいは内側シートに貼り付くのを防止することができ、連結部は折り曲げ動作や展開動作をスムーズに行うことができる。
ここで、凹凸部としては、リブ、溝、山、ざらざらな梨地、ディンプル等を例示できる。
【０００９】
また、本発明にかかる携帯端末は、前記凹凸部がリブであるとともに、前記リブが前記配線および前記アンテナの長手方向に対して交差する方向に連続するように設けられている構成を有している。
【００１０】
この構成により、凹凸部としてのリブが、配線やアンテナの長手方向に対して交差する方向に連続しているので、リブとアンテナとが接触する面積を減少させて、リブが持つ誘電損失を低減できる。また、リブを設けることにより、シートを曲げにくくするのを防止している。
【００１１】
また、本発明にかかる携帯端末は、前記リブを複数有し、前記各リブが前記配線および前記アンテナの長手方向に沿って所定間隔をおいて配置されている構成を有している。
【００１２】
この構成により、リブはアンテナの長手方向に沿って所定間隔をおいて配置されているので、アンテナが外側シートあるいは内側シートに貼り付くのを防止することができ、連結部は折り曲げ動作や展開動作をスムーズに行うことができる。
【００１３】
また、本発明にかかる携帯端末は、前記各リブの突出寸法が互いに異なる構成を有している。
【００１４】
この構成により、リブの突出寸法が異なるので、配線やアンテナを曲げやすくできる。
【００１５】
また、本発明にかかる携帯端末は、前記リブを３個以上有し、前記各リブのうち、中央リブが側方リブよりも突出している構成を有している。
【００１６】
この構成により、連結部の中央付近に設けられる中央リブの高さが側方リブの高さよりも高いので、連結部を折り曲げたときに中央リブが確実に配線やアンテナに当接して容易に曲げることができる。
【００１７】
さらに、本発明にかかる携帯端末は、前記凹凸部の頭部が山形状である構成を有している。
【００１８】
この構成により、リブが配線やアンテナに接触する際に、面接触ではなく点接触となるので、配線やアンテナがリブの先端面に貼り付くのを防止することができ、連結部は折り曲げ動作や展開動作をスムーズに行うことができる。
【発明の効果】
【００１９】
本発明は、連結部の内側シートにおける配線およびアンテナに向かう面と、外側シートにおける配線およびアンテナに向かう面との、少なくとも一方に凹凸部を設けることにより、外側シートと内側シートとの間に介装されている配線やアンテナ等が、連結部を折り曲げたり展開したりする際に、外側シートおよび内側シートの少なくとも一方に設けられている凹凸部を介して外側シートあるいは内側シートに接触することになる。
このため、シート状の配線やアンテナが外側シートあるいは内側シートに貼り付くのを防止することができ、連結部は折り曲げ動作や展開動作をスムーズに行うことができるという効果を有する携帯端末を提供できるものである。
【発明を実施するための最良の形態】
【００２０】
以下、本発明の実施形態の携帯端末について、図面を用いて説明する。
図１は本発明の実施形態にかかる折畳式の携帯端末の展開した状態を外側から見た斜視図、図２は閉じた状態における斜視図、図３は図１中III−III位置の断面図、図４は図１中IV−IV位置の断面図、図５は図２中Ｖ−Ｖ位置の断面図、図６は図２中VI−VI位置の断面図、図７は開いた状態のアンテナ部を示す拡大斜視図、図８は閉じた状態におけるアンテナ部を示す拡大斜視図、図９（Ａ）（Ｂ）はリブの説明図、図１０はリブの先端が山形になっているのを示す断面図、図１１は折畳式の携帯端末を開いた状態におけるアンテナ指向性を示す説明図、図１２は閉じた状態におけるアンテナ指向性を示す図である。
【００２１】
図１および図２に示すように、携帯端末１０は、表示部２１（図３参照）を有する第１筐体２０と、操作部３１（図３参照）、受信部（図示省略）、制御部（図示省略）を有する第２筐体３０と、第１筐体２０と第２筐体３０とを折り曲げ・展開可能に連結する連結部４０とを有している。
そして、連結部４０においては、柔軟な内側シート４１と外側シート４２とを厚み方向に積層し、内側シート４１と外側シート４２との間に、第１筐体２０と第２筐体３０とを電気的に接続する配線４３および／またはアンテナ４４を備えている。
【００２２】
内側シート４１における配線４３およびアンテナ４４に向かう面４１ａ（図３参照）と、外側シート４２における配線４３およびアンテナ４４に向かう面４２ａ（図３参照）との、少なくとも一方には、配線およびアンテナ４４に接触する凹凸部５０が形成されている。
【００２３】
第１筐体２０、第２筐体３０および連結部４０は、保護カバー１１によって覆われている。保護カバー１１は、可撓性を有する非導電性材料により構成されており、例えば１ｍｍ厚の布材により携帯端末１０の全体を覆っている。
【００２４】
保護カバー１１の一方の端部には、第１筐体２０および第２筐体３０を折り畳んだ閉状態を保持するために、先端に下部固定部材１２ａが設けられた固定帯１２が設けられており、保護カバー１１の他方の端部には、下部固定部材１２ａを係止する上部固定部材１２ｂが設けられている。
【００２５】
第１筐体２０および第２筐体４０は、例えば軟質性樹脂により構成され、大きさは例えば縦７０ｍｍ、横４０ｍｍのものがある。
第１筐体２０には第１の回路基板２２が収納され、第２筐体３０には第２の回路基板３２が収納されている。第１の回路基板２２および第２の回路基板３２は、連結部４０に設けられた接続導体となる可撓性を持つ配線４３によって電気的に接続されている。
【００２６】
第１の回路基板２２および第２の回路基板３２は、それぞれ例えば厚さ１ｍｍのプリント基板で構成され、その寸法は例えば縦６５ｍｍ横４０ｍｍに設定できる。第１の回路基板２２上にはグランドパターンが形成されている。
また、第２の回路基板３２上にはグランドパターンが形成され、更に、アンテナ４４のアンテナ部材４４ａに給電を行う無線回路部３２ａ等が設けられている。
【００２７】
連結部４０は、外装部が可撓性を有する高分子材料、例えばエラストマーで構成され、誘電正接は例えば０．０１である。連結部４０の内部には、配線４３、アンテナ４４、第１筐体２０と第２筐体３０とを接続して両筐体２０、３０の開状態を保持する可撓性を有する金属板等からなる保持部材４５等を備えている。
【００２８】
図１、図４および図６に示すように、保持部材４５は、取付部材４６ａによって一端を第１筐体２０に固定するとともに取付部材４６ｂによって他端を第２筐体３０に取り付けられており、第１筐体２０と第２筐体３０の短辺部分同士を折り曲げ・展開可能に連結している。保持部材４５は、連結部４０の一部（図１において、左上側の半分）に配置されている。
なお、保持部材４５は、例えば縦６０ｍｍ、横２０ｍｍ、厚さ０．２ｍｍの金属素材で構成できる。
【００２９】
図３および図５に示すように、アンテナ４４は、例えば１本のメアンダ形状のアンテナ部材４４ａを有しており、連結部４０の保持部材４５と反対側部分（図１において、右下側の半分）において、外側シート４２と内側シート４１の間に設けられている。
【００３０】
従って、平面視上、保持部材４５と重ならない位置に設定されている。アンテナ４４としては、例えば縦２０ｍｍ、横１０ｍｍ、厚さ０．１ｍｍのフレキシブル素材内に、全長９０ｍｍ、線幅２ｍｍ、線間隔２ｍｍのアンテナ部材（銅箔）４４ａを入れて構成できる。
【００３１】
また、配線４３は、接続素子４３ａ、４３ｂにより各々第１の回路基板２２と第２の回路基板３２に接続されている。接続素子４３ａ、４３ｂとしては、例えば、縦５０ｍｍ横１０ｍｍのフレキシブル基板で構成され、連結部４０の保持部材４５の長辺（図１中のＹ方向）の幅内に収まるように配置されている。
【００３２】
図４および図６に示すように、連結部４０の内側シート４１および外側シート４２には、凹凸部５０としての複数のリブ５１が連結部４０の長手方向に所定間隔で設けられている。これにより、リブ５１を設けることによって連結部４０がスムーズに曲がらなくなるのを防止している。
【００３３】
また、図７に示すように、各リブ５１は配線４３やアンテナ４４の長手方向に沿って所定間隔をおいて配置されている。ここでは、アンテナ４４直下にアンテナ４４を支えるリブ５１を備えている。例えばリブ５１は、縦１ｍｍ横１０ｍｍ高さ２ｍｍに設定され、リブの本数は例えば３本設定されており、各リブの突出（高さ）寸法が互いに異なっている。
【００３４】
すなわち、図９（Ａ）に示すように、中央リブ５１Ｂが側方リブ５１Ａ、５１Ｃよりも連結部の外側に向かって突出しているようにするのが望ましい。
これにより、図８および図９（Ｂ）に示すように、連結部４０を折畳んだ際に、中央のリブ５１ｂが確実にアンテナ４４に接触するので、携帯端末１０を折畳みやすくできる。
【００３５】
なお、図１０に示すように、凹凸部５０であるリブ５１の頭部（先端部）５１ａは、山形状に形成するのが望ましい。
これにより、リブ５１が配線４３やアンテナ４４に接触する際に、面接触ではなく点接触となるので、配線４３やアンテナ４４がリブ５１の先端面に貼り付くのを防止することができ、連結部４０は折り曲げ動作や展開動作をスムーズに行うことができる。
【００３６】
図８および図９（Ｂ）に示すように、アンテナ４４は、第１筐体２０と第２筐体３０が閉じられた状態において、その先端部（例えば、アンテナ４４の先端から長さ２ｍｍの部分の線幅の中心）が、第１の回路基板２２および第２の回路基板３２から最も離れるような位置に設定され、リブ５１によりさらに離れる位置関係となる。
ここで、第１の回路基板２２および第２の回路基板３２から最も離れるような位置とは、連結部４０内部のうち、第１の回路基板２２および第２の回路基板３２それぞれからの距離が等しくなる位置で、その位置のうち、最も保護カバー１１に近い位置のことである。
【００３７】
例えば、第１筐体２０と第２筐体３０が閉じられた状態において、対向する第１の回路基板２２と第２の回路基板３２の短辺の中間位置から連結部４０方向に延びる直線上（第１の回路基板２２と第２の回路基板３２とのＸ方向の中間位置から図２中のＺ方向に延びる直線上）であって連結部４０と交わる位置のうち、保持部材４５よりも外側（保護カバー１１側）の位置である。
上記では、先端部を線幅の中心としているが、これは中心に限らず、例えば、先端から２ｍｍの長さの部分であればどこであっても良い。
【００３８】
図１１には、折畳式の携帯端末１０を開いた状態において、リブ５１有無時の自由空間上に水平面(ＸＺ面)に置いた状態の水平偏波の指向性である。
第１の放射波形６１はリブ５１が無い時の指向性で、第２の放射波形６２はリブ５１が有る時の指向性を表している。
【００３９】
図１１の水平面水平偏波の指向性から求めた第１の放射波形６１の水平面利得は−５．１[dBd]である。一方、第２の放射波形６２の水平面利得は−４．１[dBd]である。
したがって、本実施例のリブ５１を立てる事により高いアンテナ性能を確保する事ができる。
【００４０】
また、閉じた状態では、折畳式の携帯端末１０を曲げる事による内外周差で生じる現象により、アンテナ４４を含む連結部４０にある部品が第１の回路基板２２と第２の回路基板３２方向（図２中の−Ｚ方向）に近づいてきてしまうが、リブ５１を立てる事により、アンテナ４４だけは第１の回路基板２２と第２の回路基板３２との距離を離す事ができる。
これにより、第１の回路基板２２、および第２の回路基板３２からの影響を低減できる。
【００４１】
図１２は本実施例の折畳式携帯無線機を閉じた状態において、リブ５１有無時の自由空間上に水平面(ＸＺ面)に置いた状態の水平偏波の指向性である。
第３の放射波形６３はリブ５１が無い時の指向性で、第４の放射波形６４はリブ５１が有る時の指向性を表している。図１２の水平面水平偏波の指向性から求めた第３の放射波形６３の水平面利得は−８．０[dBd]である。一方、第４の放射波形６４の水平面利得は−６．５[dBd]である。
【００４２】
したがって、本実施例のリブ５１を立てる事により高いアンテナ性能を確保する事ができる。
【００４３】
以上説明したように、本発明の実施形態の携帯端末１０によれば、外側シート４２および内側シート４１の少なくとも一方に凹凸部５０を設けたので、第１筐体２０と第２筐体３０とを折り曲げたり展開したりする際に、連結部４０における外側シート４２と内側シート４１との間に介装されているアンテナ４４等が、凹凸部５０を介して外側シート４２あるいは内側シート４１に接触することになる。
このため、アンテナ４４が外側シート４２あるいは内側シート４１に貼り付くのを防止することができ、連結部４０は折り曲げ動作や展開動作をスムーズに行うことができる。
【００４４】
なお、前述した実施形態においては、アンテナ４４のみが外側シート４２と内側シート４１に挟まれている場合について説明したが、配線４３が挟まれている場合にも同様の作用・効果を得ることができる。
また、前述した実施形態においては、アンテナ４４として、１本のメアンダ形状を例示したが、アンテナ４４の配置場所の条件を満たすものであれば、アンテナ形状は問わない。
【００４５】
また、上記では、連結部４０によって曲がることが可能な面状接続部材を構成しているが、例えば、保護カバー１１を連結部４０として機能させるようにしても構わない。
また、凹凸部５０としてリブ５１を用い、リブ５１の本数を３本としているが、リブ５１の配置場所の条件を満たすものであれば、リブの本数は問わない。また、凹凸部としては、リブ５１のほかに、溝、山、ざらざらな梨地、ディンプル等を採用することもできる。
【産業上の利用可能性】
【００４６】
以上のように、本発明に係る携帯端末は、シート状の配線やアンテナが外側シートあるいは内側シートに貼り付くのを防止することができ、連結部は折り曲げ動作や展開動作をスムーズに行うことができるという効果を有し、連結部により表示部を有する第１筐体と、操作部、受信部、制御部を有する第２筐体と、を折り曲げ可能に連結した折畳型の携帯端末等として有用である。
【図面の簡単な説明】
【００４７】
【図１】本発明の実施の形態における携帯端末の展開状態を後方から見た斜視図である。
【図２】本発明の実施の形態における携帯端末の閉じた状態を後方から見た斜視図である。
【図３】図１中III−III位置の断面図である。
【図４】図１中IV−IV位置の断面図である。
【図５】図２中Ｖ−Ｖ位置の断面図である。
【図６】図２中VI−VI位置の断面図である。
【図７】開いた状態のアンテナ部を示す拡大斜視図である。
【図８】閉じた状態におけるアンテナ部を示す拡大斜視図である。
【図９】（Ａ）（Ｂ）はリブの説明図である。
【図１０】リブの先端が山形になっているのを示す断面図である。
【図１１】本発明の折畳式携帯端末を開いた状態におけるアンテナ指向性を示す説明図である。
【図１２】本発明の折畳式携帯端末を閉じた状態におけるアンテナ指向性を示す説明図である。
【図１３】従来の携帯端末の断面図である。
【図１４】従来の携帯端末の要部断面図である。
【符号の説明】
【００４８】
１０  携帯端末
２０  第１筐体
２１  表示部
３０  第２筐体
３１  操作部
４０  連結部
４１  内側シート
４２  外側シート
４３  配線
４４  アンテナ
５０  凹凸部
５１  リブ
５１ａ  頭部
５１Ａ、５１Ｃ  側方リブ
５１Ｂ  中央リブ
【図１】
2006148331.tif 000003
【図２】
2006148331.tif 000004
【図３】
2006148331.tif 000005
【図４】
2006148331.tif 000006
【図５】
2006148331.tif 000007
【図６】
2006148331.tif 000008
【図７】
2006148331.tif 000009
【図８】
2006148331.tif 000010
【図９】
2006148331.tif 000011
【図１０】
2006148331.tif 000012
【図１１】
2006148331.tif 000013
【図１２】
2006148331.tif 000014
【図１３】
2006148331.tif 000015
【図１４】
2006148331.tif 000016